(57)【要約】      （修正有）【課題】講義への出席者を正確に確認することができ、代返等による不正を抑制する出欠情報収集管理システムを提供する。【解決手段】出欠情報収集管理システムにおいて、出欠管理装置３より講師端末４及び学生端末５が講義選択の情報を受信すると、学生端末５より第一のビーコンが送信され、この第一のビーコンを受信した講師端末４は、第二のビーコンを学生端末５へ送信する。学生端末５は、第二のビーコンを受信すると、カメラ機能により取得した顔画像データを含む出席者情報を出欠管理装置３へ送信する。出欠管理装置３では、受信した出席者情報の顔画像データを、データベースに予め記憶された顔画像データと照合し、出席者本人と判定した場合、データベースの出欠データ記憶領域の出欠情報を更新する。【選択図】図６
2022003472.tif 000002
【特許請求の範囲】
【請求項１】
講師により操作される講師端末と出席者により操作される出席者端末とにネットワークを介して接続可能に設けられ、該出席者端末から送信される情報に基づいて、該出席者の出席確認を行う出欠管理装置を備えた出欠情報収集管理システムであって、
前記講師端末と出席者端末とに夫々設けられ、所定の無線標識信号を送受信可能な限られた通信領域内に位置する該講師端末と出席者端末との間で、前記無線標識信号を通信する無線標識通信手段と、
前記出席者端末に設けられ、出席者の生体認証データを取得する生体認証取得手段と、
前記出席者端末に設けられ、前記講師端末と出席者端末とによる前記無線標識信号の通信に起因して所定の認証許容条件が成立した場合に、前記生体認証取得手段により取得した出席者の生体認証データを含む出席者情報を、前記ネットワークを介して前記出欠管理装置に送信可能とする出席情報送信制御手段と
を備えたものであり、
前記出欠管理装置は、
前記出席者の生体認証データが予め記憶された出席者データ記憶領域と、出席者の講義への出欠情報が記憶される出欠データ記憶領域とを有するデータベースと、
前記出席者端末から前記出席者情報を受信すると、該出席者情報に含まれる出席者の生体認証データを前記データベースに記憶された生体認証データと照合し、該照合により出席者本人と判定した場合に出席として、前記出欠データ記憶領域の出欠情報を更新する出席承認制御手段と
を備えたものであることを特徴とする出欠情報収集管理システム。
【請求項２】
出席者端末の無線標識通信手段は、出席者を識別するための識別データを含む無線標識信号を送信する標識信号送信処理を備えたものであり、
講師端末の無線標識通信手段は、前記出席者端末から送信された前記無線標識信号の受信に基づいて、出席者情報の送信を許容する無線標識信号を送信する許容信号送信処理を備えたものであり、
認証許容条件は、前記許容信号送信処理により講師端末から送信された無線標識信号を、前記出席者端末が受信することであることを特徴とする請求項１に記載の出欠情報収集管理システム。
【請求項３】
講師端末に、講師により操作可能に設けられ、出席者端末から送信された無線標識信号の受信を有効とする受信操作手段を備えたものであることを特徴とする請求項１又は請求項２に記載の出欠情報収集管理システム。
【請求項４】
出席者端末の出席情報送信制御手段により送信される出席者情報は、
当該出席者端末に設けられた時計機能によって、該出席者情報を送信する際に取得された時刻データが含まれたものであり、
前記出欠管理装置の出席承認制御手段は、
前記出席者端末から前記出席者情報を受信すると、該出席者情報に含まれる前記時刻データを、データベースに予め記憶された講義時刻情報と照合し、この照合結果と、当該出席者情報に含まれる生体認証データを照合する出席者本人の判定結果とに基づいて、講義出席か否かを判定し、該講義出席か否かの判定結果に従って、前記出欠データ記憶領域の出欠情報を更新するものであることを特徴とする請求項１乃至請求項３のいずれか１項に記載の出欠情報収集管理システム。
【請求項５】
出席承認制御手段の出席承認制御手段は、
出席者情報に含まれる前記時刻データと、データベースに記憶された講義時刻情報とを照合することにより、講義の遅刻判定と早退判定とを行う処理内容を備えたものであることを特徴とする請求項４に記載の出欠情報収集管理システム。
【発明の詳細な説明】
【技術分野】
【０００１】
本発明は、大学などで講義への学生の出席を確認するための出欠情報収集管理システムに関する。
【背景技術】
【０００２】
大学等の講義では、学生の出席を確認することが一般的である。講義への出席数は、単位取得に必要な要件の一である場合が多いことから、出席確認を正確に行うことが必要である。ところが、欠席している者が出席を装うために、他の出席者が代わって出席確認するという、所謂代返が従来から行われていた。そのため、代返による不正を防止でき、正確かつ効率的に出席確認を行うことができる方法が、希求されていた。
【０００３】
こうした出席確認を行い得るものとして、例えば、特許文献１の構成が提案されている。かかる構成は、教員が使用する端末から、ビーコンＩＤと教員端末位置情報（ＧＰＳ情報）とを含むビーコンを発信し、学生の使用する端末が該ビーコンを受信すると、受信したビーコンに含まれるビーコンＩＤ及び教員端末位置情報と、当該学生の端末の学生端末位置情報、学生の識別情報、及び教員端末との距離情報とをサーバに送信する。そして、サーバでは、学生の端末から送信された前記情報を受信すると、該サーバに予め記憶されているマスタデータ（教室の位置情報、教員端末の登録情報、教員の識別情報、学生端末の登録情報、学生の識別情報など）に基づいて、学生の出席を確認する。そして、学生の端末では、教員端末からのビーコン受信とサーバへの送信とを行うプログラム（アプリなど）が、登録された学生の生体認証によって起動するようにインストールされている。こうした従来構成によれば、前記代返等による不正を防止でき、講義に出席する学生を正確に特定することができる。さらに、この従来構成では、教員端末でビーコン送信する操作と、学生端末で前記プログラムを起動する操作とを行うことによって、学生の出席確認を効率的に行うことができる。
【先行技術文献】
【特許文献】
【０００４】
【特許文献１】特開２０１９−７４９８７号公報
【発明の概要】
【発明が解決しようとする課題】
【０００５】
ところで、特許文献１の従来構成では、前述したように、学生端末で、教員端末から発信されたビーコンを受信し且つサーバへ位置情報（ＧＰＳ情報）などを送信するプログラムを起動するために、学生の生体認証を必要としていることから、講義に出席する学生本人にしか該プログラムを起動できない。しかしながら、例えば、講義の開始直前に生体認証により前記プログラムを起動した学生端末を、他の学生に預ければ、該講義に出席しなくとも出席確認されてしまう。このように前述した従来構成では、所謂代返を防止する効果に限界があった。
【０００６】
本発明は、講義への出席者を正確に確認することができ、前記代返等による不正を抑制し得る出欠情報収集管理システムを提案するものである。
【課題を解決するための手段】
【０００７】
本発明は、講師により操作される講師端末と出席者により操作される出席者端末とにネットワークを介して接続可能に設けられ、該出席者端末から送信される情報に基づいて、該出席者の出席確認を行う出欠管理装置を備えた出欠情報収集管理システムであって、前記講師端末と出席者端末とに夫々設けられ、所定の無線標識信号を送受信可能な限られた通信領域内に位置する該講師端末と出席者端末との間で、前記無線標識信号を通信する無線標識通信手段と、前記出席者端末に設けられ、出席者の生体認証データを取得する生体認証取得手段と、前記出席者端末に設けられ、前記講師端末と出席者端末とによる前記無線標識信号の通信に起因して所定の認証許容条件が成立した場合に、前記生体認証取得手段により取得した出席者の生体認証データを含む出席者情報を、前記ネットワークを介して前記出欠管理装置に送信可能とする出席情報送信制御手段とを備えたものであり、前記出欠管理装置は、前記出席者の生体認証データが予め記憶された出席者データ記憶領域と、出席者の講義への出欠情報が記憶される出欠データ記憶領域とを有するデータベースと、前記出席者端末から前記出席者情報を受信すると、該出席者情報に含まれる出席者の生体認証データを前記データベースに記憶された生体認証データと照合し、該照合により出席者本人と判定した場合に出席として、前記出欠データ記憶領域の出欠情報を更新する出席承認制御手段とを備えたものであることを特徴とする出欠情報収集管理システムである。
【０００８】
ここで、認証許容条件の成立に要する「講師端末と出席者端末とによる前記無線標識信号の通信」とは、講師端末と出席者端末との相互で無線標識信号を送受信することだけでなく、一方から送信された無線標識信号を他方が受信することであっても良い。尚、前者の場合にあって、講師端末と出席者端末との無線標識信号の通信は、該無線標識信号を互いに一回ずつ送受信すること、互いに複数回ずつ送受信すること、一方が一回送受信し且つ他方が複数回送受信することのいずれであっても良い。また、後者の場合には、出席者端末から送信された無線標識信号を講師端末が受信することが、好適である。
また、「生体認証データ」としては、出席者の顔画像による顔画像データ、出席者の指紋による指紋データ、出席者の音声による音声データ、出席者の網膜による網膜データなどを適用できる。そして、これら各生体認証データのなかの一を適用する構成としても良いし、複数を適用する構成としても良い。後者の構成では、状況に応じて、全ての生体認証データを出席者本人の照合に用いる場合と、特定の生体認証データを該照合に用いる場合とを選択的に行う構成とすることもできる。
【０００９】
かかる構成にあっては、限られた通信領域内に位置する講師端末と出席者端末とで無線標識信号の通信が成立することにより、講師と出席者とが該通信領域内に居ることを確認できることから、出席者が該講師の講義に出席していると判断できる。そして、この無線標識信号の通信に基づいて出席者端末から送信された生体認証データを、データベースに予め記憶された生体認証データと照合することにより、出席者本人を確認できる。こうしたことから、本発明の構成によれば、出席者本人が講義に出席していることを正確に確認することができ、前述した代返等による不正を防止できる。特に、本発明の構成では、講師端末と出席者端末との間で前記無線標識信号の通信が成立することによって、生体認証データを含む出席者情報が該出席者端末から送信可能となることから、出席者端末を他の出席者に預けた場合に生体認証データを送信することが困難であり、該生体認証データを送信できなければ、本人確認ができない。そのため、本発明の構成によれば、出席者端末を他の出席者に預けて行う代返を抑制できる。
さらに、本発明の構成は、講師端末と出席者端末との間における無線標識信号の通信と、生体認証データの取得と、該生体認証データを含む出席者情報の送信と、該生体認証データの照合による本人確認とにより、出席を確認するものであるから、これら一連の出欠確認に必要な人的労力が極めて少なく、かつ該一連の出欠確認を迅速に行うことができる。したがって、本発明の構成によれば、講義の出欠確認を効率的に行うことができる。
【００１０】
前述した本発明の出欠情報収集管理システムにあって、出席者端末の無線標識通信手段は、出席者を識別するための識別データを含む無線標識信号を送信する標識信号送信処理を備えたものであり、講師端末の無線標識通信手段は、前記出席者端末から送信された前記無線標識信号の受信に基づいて、出席者情報の送信を許容する無線標識信号を送信する許容信号送信処理を備えたものであり、認証許容条件は、前記許容信号送信処理により講師端末から送信された無線標識信号を、前記出席者端末が受信することである構成が提案される。
ここで、「許容信号送信処理」により送信される無線標識信号は、「認証許容条件」を成立する信号であれば良く、出席者情報の送信を許容する情報の有無に限定されない。例えば、「許容信号送信処理」は、出席者の識別データを含む無線標識信号を講師端末が受信したことを示すのみの無線標識信号を送信するものとできる。
【００１１】
かかる構成にあっては、講師端末が出席者端末からの無線標識信号を受信でき、かつ該出席者端末が該講師端末からの無線標識信号を受信できることによって、該無線標識信号を送受信可能な通信領域内に、講師と出席者とが居ることを正確に判断できる。すなわち、講師端末と出席者端末との間で無線標識信号の送受信を双方向で実行できることによって、講師の講義に出席者が出席していることを一層正確に判断できる。
【００１２】
前述した本発明の出欠情報収集管理システムにあって、講師端末に、講師により操作可能に設けられ、出席者端末から送信された無線標識信号の受信を有効とする受信操作手段を備えたものである構成が提案される。
【００１３】
かかる構成にあっては、講師が講師端末の受信操作手段を操作することにより、出席端末との無線標識信号の受信を可能とするものであることから、該講師が、出席者の出席確認を行うタイミングを決めることができる。そのため、例えば、講義を開始する際に前記受信操作手段を操作することによって、該講義の開始時における出席者を確認することができる。加えて、講義を終了する際にも前記受信操作手段を操作することによって、該講義の終了時における出席者を確認できることから、講義途中での無断入室や無断退出を防止でき、一層正確な出席確認を行うことができる。
さらに、遅刻した出席者や早退する出席者に対して、受信操作手段を操作することによって、遅刻や早退を正確に確認できると共に、該遅刻や早退をデータベースの出欠データ記憶領域に記憶することで、一層正確な出欠管理を行うことも可能である。
【００１４】
前述した本発明の出欠情報収集管理システムにあって、出席者端末の出席情報送信制御手段により送信される出席者情報は、当該出席者端末に設けられた時計機能によって、該出席者情報を送信する際に取得された時刻データが含まれたものであり、前記出欠管理装置の出席承認制御手段は、前記出席者端末から前記出席者情報を受信すると、該出席者情報に含まれる前記時刻データを、データベースに予め記憶された講義時刻情報と照合し、この照合結果と、当該出席者情報に含まれる生体認証データを照合する出席者本人の判定結果とに基づいて、講義出席か否かを判定し、該講義出席か否かの判定結果に従って、前記出欠データ記憶領域の出欠情報を更新するものである構成が提案される。
【００１５】
ここで、出席者情報に含まれる時刻データは、出席者情報を送信する時刻を示すデータと、該出席者情報を生成した時刻を示すデータと、生体認証データを取得した時刻を示すデータとのいずれであっても良いし、これらの中の複数であっても良い。特に、生体認証データを取得した時刻のデータを含むものとした構成が好適である。これは、該生体認証データを取得した時刻を正確に判定でき、出席者確認の精度を一層向上できるためである。
また、時刻データは、一日のうちの時刻のみを示すデータであっても良いし、年月日のデータと時刻のデータとの両方を含むものであることが好適である。
【００１６】
かかる構成にあっては、出席者情報に含まれる時刻データを、データベースの講義時刻情報と照合することによって、講義出席の時間を確認できる。したがって、本構成は、出席者の居る位置と、該位置に居る時間と、本人確認とによって、一層正確な出席確認を行うことができる。
【００１７】
前述した本発明の出欠情報収集管理システムにあって、出席承認制御手段の出席承認制御手段は、出席者情報に含まれる前記時刻データと、データベースに記憶された講義時刻情報とを照合することにより、講義の遅刻判定と早退判定とを行う処理内容を備えたものである構成が提案される。
【００１８】
かかる構成によれば、講義の遅刻者と早退者とを正確に判定できることから、遅刻と早退とを含む講義の出欠管理を正確かつ安定して行うことができる。
【発明の効果】
【００１９】
本発明の出欠情報収集管理システムによれば、前述したように、出席者本人が講義に出席していることを正確に確認することができ、代返等による不正を抑制できる。さらに、こうした講義の出欠確認を効率的に行うことができる。
【図面の簡単な説明】
【００２０】
【図１】本実施例の出欠情報収集管理システム１の構成を示す概略図である。
【図２】出欠管理装置３、講師端末４、および学生端末５の制御回路を示すブロック図である。
【図３】出欠管理装置３のデータベース１２に記憶されるデータを示す説明図である。
【図４】講義の教室内における、講師端末４の通信領域と学生端末５の通信領域とを示す説明図である。
【図５】出席確認の流れを全体的に示すフロー図である。
【図６】出席確認の手順を示す説明図である。
【図７】学生端末５の学生用アプリで実行される処理を示すフローチャートである。
【図８】講師端末４の講師用アプリで実行される処理を示すフローチャートである。
【図９】管理サーバ１１で実行される出席確認処理を示すフローチャートである。
【図１０】別例の、出席確認の手順を示す説明図である。
【発明を実施するための形態】
【００２１】
本発明にかかる実施形態を、以下の実施例により説明する。
本実施例の出欠情報収集管理システム１は、大学における講義で学生の出席確認を行うためのシステムである。図１に出欠情報収集管理システム１の構成を示す。本実施例の出欠情報収集管理システム１は、通信ネットワーク２、出欠管理装置３、講師端末４、および学生端末５により構成されるものであり、出欠管理装置３と講師端末４と学生端末５とは、通信ネットワーク２を介して通信可能に接続される。ここで、通信ネットワーク２は、インターネット、及び該インターネットに接続されたローカルエリアネットワークで構成される。さらに、この通信ネットワーク２には、大学の教務課等の管理者により使用される専用の担当者ＰＣ（パソコン）９が接続されている。そして、この担当者ＰＣ９が、前記インターネットに非接続の大学内ローカルネットワーク１０と接続されており、該大学内ローカルネットワーク１０にＬＭＳ（Ｌｅａｒｎｉｎｇ  Ｍａｎａｇｅｍｅｎｔ  Ｓｙｓｔｅｍ）７と大学基幹システム８とが接続されている。このように構築されたネットワークによって、前記した出欠情報収集管理システム１（出欠管理装置３、講師端末４、および学生端末５）と、ＬＭＳ７および大学基幹システム８とは、直接的にデータや信号の送受信ができず、担当者ＰＣ９を介してのみ該データのやり取りを行うことができる。具体的には、担当者ＰＣ９を前記管理者が操作することにより、出欠管理装置３から所望のデータをダウンロードして、当該データをＬＭＳ７や大学基幹システム８にアップロードすることで、出欠管理装置３に記憶されたデータをＬＭＳ７や大学基幹システム８へ送ることができる。同様に、担当者ＰＣ９により、ＬＭＳ７や大学基幹システム８から所望のデータをダウンロードして、当該データを出欠管理装置３にアップロードすることで、ＬＭＳ７や大学基幹システム８に記憶されたデータを出欠管理装置３へ送ることができる。
【００２２】
前記大学基幹システム８は、大学の教務課等の管理者が前記担当者ＰＣ９を用いて管理する情報が登録されるものであり、講師の情報、大学で開催される講義の情報、および学生の情報などが予め登録される。
一方、ＬＭＳ７は、大学基幹システム８に登録された講師、講義、および学生の情報が記憶されていると共に、学生の履修講義、学生の成績、出欠情報、講義の時間割などが記憶されている。ここで、ＬＭＳ７には、講師の情報として、講師の氏名、講師のＩＤ、所属学部や学科の情報、およびスケジュール等が登録されている。また、講義の情報として、講義の識別情報（講義名や講義番号など）、講義を担当する講師（大学教授などの教員）の情報（ＩＤや氏名など）、講義の開催場所（教室名など）、講義の時間割（開始時刻や終了時刻）、および各講義の履修学生情報（履修生一覧）等が登録されている。また、学生の情報として、学生の氏名、学籍番号（学生ＩＤ）、学生の顔画像データ、学年、所属学部や学科の識別情報、および成績情報等が登録されている。そして、ＬＭＳ７では、こうして登録された学生の情報と講義の情報とに基づいて、各学生が履修可能な講義が設定登録される。
尚、こうした大学基幹システム８やＬＭＳ７は、一般的に利用されているものを適用できることから、その詳細な説明を省略する。
【００２３】
前記講師端末４は、図２に示すように、前記通信ネットワーク２を介して出欠管理装置３（及びＬＭＳ７）と通信するための無線通信機能２１と、ビーコン信号を送受信するためのビーコン通信機能２２とを備えたノート型パソコン、タブレットＰＣ、又はスマートフォン等によって構成される。さらに、講師端末４は、講義に出席した学生を確認するために用いられる専用のアプリケーションプログラム（以下、講師用アプリという）がインストールされたものである。ここで、ビーコン通信機能２２としては、ＢＬＥ（Ｂｌｕｅｔｏｏｔｈ（登録商標）  Ｌｏｗ  Ｅｎｅｒｇｙ）技術によって前記ビーコン信号を送受信する機能が用いられる。こうしたビーコン通信機能２２と前記無線通信機能２１とは、一般的なノート型パソコン、タブレットＰＣ、スマートフォンに搭載された機能である。そのため、前記講師用アプリがインストールされたノート型パソコン等を、本実施例の講師端末４として使用できる。尚、ノート型パソコン等からなる講師端末４は、当然ながらＣＰＵ、記憶装置（ＲＯＭやＲＡＭ）、時計機能、および入力手段（キーボードやタッチパネル）２４等を備えており、該ＣＰＵによって講師用アプリが動作される。
【００２４】
前記講師用アプリは、前記出欠管理装置３やＬＭＳ７に登録された講師のＩＤを用いてダウンロードしてインストールされるものである。そして、講師端末４では、講師が前記入力手段２４を操作して自身の講師ＩＤ（およびパスワード）等を入力することによって、前記講師用アプリにログインできる。この講師用アプリは、講師端末４のビーコン通信機能２２を作動制御することによって、学生端末５とのビーコン信号の送受信を有効とする処理と、学生端末５から受信したビーコン信号に基づいて学生の在席確認を行う処理とを実行すると共に、講師端末４の無線通信機能２１を作動制御することによって、出欠管理装置３（及びＬＭＳ７）と情報の送受信を行う処理を実行するものである。
【００２５】
前記学生端末５は、図２に示すように、前記通信ネットワーク２を介して出欠管理装置３（及びＬＭＳ７）と通信するための無線通信機能２６と、ビーコン信号を送受信するためのビーコン通信機能２７と、静止画および動画を撮影するカメラ機能２８とを備えたスマートフォン等によって構成される。さらに、学生端末５は、講義の出席を登録するために用いられる専用のアプリケーションプログラム（以下、学生用アプリという）がインストールされたものである。ここで、ビーコン通信機能２７は、講師端末４と同様に、前記ＢＬＥ技術によってビーコン信号を送受信するものである。こうしたビーコン通信機能２７、無線通信機能２６、およびカメラ機能２８は、一般的なスマートフォンに搭載された機能であることから、前記学生用アプリがインストールされたスマートフォンを、本実施例の学生端末５として使用できる。尚、スマートフォンからなる学生端末５は、当然ながらＣＰＵ、記憶装置（ＲＯＭやＲＡＭ）、入力手段（タッチパネル）２９、日時を計測する時計機能（カレンダー機能を含む）３０等を備えており、該ＣＰＵによって学生用アプリが動作される。
【００２６】
前記学生用アプリは、前記出欠管理装置３やＬＭＳ７に登録された学生のＩＤを用いてダウンロードしてインストールされるものである。そして、学生端末５では、学生が前記入力手段２９を操作して自身の学生ＩＤ（およびパスワード）等を入力することによって、前記学生用アプリにログインできる。この学生用アプリは、学生端末５のビーコン通信機能２７を作動制御することによって、講師端末４とのビーコン信号の送受信を有効とする処理を実行すると共に、無線通信機能２６を作動制御することによって、カメラ機能２８により撮影した顔画像データを前記出欠管理装置３にアップロードする処理と、出欠管理装置３（及びＬＭＳ７）と必要な情報の送受信を行う処理とを実行するものである。
【００２７】
こうした講師端末４と学生端末５とは、前述したように、ＢＬＥ技術によりビーコン信号を送受信可能とするものであることから、該ＢＬＥ技術によるビーコン信号の届く限られた通信領域のみで、一方の発信したビーコン信号を受信できる。具体的には、図４に示すように、講師端末４と学生端末５とが、互いのビーコン信号を受信可能な通信領域内に位置することで、該ビーコン信号による双方向通信が可能となる。すなわち、ＢＬＥ技術によるビーコン信号を双方向通信可能であれば、講師端末４と学生端末５とが、該ＢＬＥ技術で通信可能な限られた通信領域内に位置していると明確に判断できる。
【００２８】
前記出欠管理装置３は、出欠情報収集管理システム１の根幹をなすものであり、１台又は複数台のコンピュータにより構成されている。この出欠管理装置３は、図２に示すように、管理サーバ１１とデータベース１２とを備えており、該管理サーバ１１が、データベース１２からデータの読み込みを行う処理と該データベースにデータの書き込みを行う処理とを実行する。この管理サーバ１１は、前記通信ネットワーク２に接続するためのルータ機能１３と、予め記憶されたプログラムを動作するＣＰＵと、該ＣＰＵで動作させるプログラムやデータが記憶される記憶装置とを備えており、前記ルータ機能１３により通信ネットワーク２を介して、講師端末４、学生端末５、およびＬＭＳ７と情報や信号の送受信ができる。さらに、日時を計測する時計機能（カレンダー機能を含む）を備えている。
尚、出欠管理装置３は、一カ所に設置されることに限らず、複数場所に分割して設置されても良い。例えば、管理サーバ１１とデータベース１２とが別の場所に設置されていても良い。管理サーバ１１とデータベース１２とが別の場所に設置されている場合には、管理サーバ１１が、通信ネットワーク２を介してデータベース１２にデータの読み込みや書き込みを行う。
【００２９】
ここで、データベース１２は、学生の登録情報が記憶された学生情報記憶領域３１と、講師の登録情報が記憶された講師情報記憶領域３２と、講義の登録情報が記憶された講義情報記憶領域３３と、学生の出欠情報が記憶された出席情報記憶領域３４とを備える。学生情報記憶領域３１は、前記ＬＭＳ７および大学基幹システム８から取得した学生の登録情報が記憶されるものであり、図３に示すように、学生の氏名、学籍番号（学生ＩＤ）、学生の顔画像データ、及び履修可能な講義の識別データ等が学生毎に紐付けされて記憶されている。また、講師情報記憶領域３２は、前記ＬＭＳ７から取得した講師の登録情報が記憶されるものであり、講師の氏名、講師ＩＤ、および担当する講義の識別情報（講義名や講義番号）等が記憶されている。また、講義情報記憶領域３３は、前記ＬＭＳ７から取得した講義の登録情報が記憶されるものであり、講義の識別情報、講義の開催場所（教室名など）、および講義の時間割（開始時刻や終了時刻）等が記憶されている。さらに、この講義情報記憶領域３３は、講義の遅刻判定と早退判定との条件と示す時間データも記憶されている。本実施例にあっては、遅刻判定の条件として、講義開始時刻から２０分以内とする時間データが設定され、早退判定の条件として、講義終了時刻まで２０分以内とする時間データが設定されている。
【００３０】
こうした学生の登録情報、講師の登録情報、および講義の登録情報は、前記ＬＭＳ７および大学基幹システム８で新規登録または更新登録される毎に（及び／又は、定期的に）、前記担当者ＰＣ９でダウンロードされてデータベース１２にアップデートされることにより、該データベース１２に記憶される。また、前記出席情報記憶領域３４に記憶される学生の出欠情報は、所定タイミング（更新の際、または予め設定された時刻）毎に、前記担当者ＰＣ９でダウンロードされてＬＭＳ７および大学基幹システム８にアップロードされることにより、該ＬＭＳ７および大学基幹システム８に記憶される。
【００３１】
次に、本実施例の出欠情報収集管理システム１の具体的な運用方法について、図５〜８を用いて説明する。
本実施例では、講義を行う講師と該講義に出席した学生とが、講義の開始時と終了時とに、夫々の講師端末４と学生端末５とを操作することによって該学生の在席確認を行い、該講義開始時の在席と講義終了時の在席との両方を確認することによって、講義出席とするようにしている。
【００３２】
図５，６に示すように、講義の開始時に、学生端末５では、学生の操作により前記学生用アプリが起動されてログインされると共に、講師端末４では、講師の操作により前記講師用アプリが起動されてログインされる。ここで、例えば、講師は、講義開始の際に前記講師用アプリにログインすると共に、講義開始（又は、在席確認の実行）の合図を送る。一方、学生は、講師の前記合図に伴って、学生用アプリにログインする。
【００３３】
学生端末５では、学生用アプリにログインされると、通信ネットワーク２を介して前記管理サーバ１１と同期して、前記データベース１２の講義情報記憶領域３３に記憶された講義の時間割の情報に基づいて、出席可能な講義を選択操作させる画像が表示される（図７のＳ１００〜Ｓ１１５）。学生が出席する講義を選択して決定すると（図７のＳ１２０）、学生端末５は、ビーコン通信機能２７を作動制御して、講義の識別情報と学生ＩＤとを含む第一のビーコン信号を発信する（図７のＳ１２５）。さらに、学生端末５では、学生用アプリによって、講師端末４から送信されるビーコン信号の受信を有効な状態となる。尚、学生端末５では、学生により選択された講義の識別情報が一時的に記憶される。
【００３４】
また、講師端末４では、講師用アプリにログインされると、通信ネットワーク２を介して前記管理サーバ１１と同期して、前記データベース１２の講師情報記憶領域３２に記憶された担当講義の識別情報に基づいて、講義を選択操作させる画像が表示される（図８のＳ２００〜Ｓ２１５）。講師が、講義を選択して決定すると（図８のＳ２２０）、選択した講義の識別情報を取得すると共に、通信ネットワーク２を介して前記データベース１２の学生情報記憶領域３１から当該講義を履修する学生ＩＤを取得する（図８のＳ２２５）。さらに、講師端末４では、講師用アプリのログインによって、学生端末５から送信されるビーコン信号の受信を有効な状態となる。尚、講師端末４では、講師により選択された講義の識別情報と前記データベース１２から取得した学生ＩＤとが一時的に記憶される。
【００３５】
前記講師用アプリにログイン中の講師端末４は、前記学生端末５から発信された第一のビーコン信号を受信すると（図８のＳ２３０）、当該ビーコン信号に含まれる講義の識別情報と学生ＩＤとを確認し、データベース１２から取得した講師の識別情報と学生ＩＤと夫々照合する（図８のＳ２３５）。この照合により講義の識別情報と学生ＩＤとが一致すると、講義在席と判定し、ビーコン通信機能２２を作動制御して、在席了承の情報を含む第二のビーコン信号を発信する（図８のＳ２４０）。
【００３６】
前記学生用アプリにログイン中の学生端末５では、前記講師端末４から発信された第二のビーコン信号を受信すると（図７のＳ１３０）、当該ビーコン信号に含まれる在席了承の情報を確認する。そして、この確認に伴って、カメラ機能２８により撮影した顔画像データのアップロードを求める指示が、当該学生端末５の画面に表示される（図７のＳ１３５）。学生が、この指示に従って、学生端末５のカメラ機能２８で撮影した顔画像データをアップロードすることにより、該顔画像データを含む出席者情報が、通信ネットワークを介して管理サーバ１１に送信される（図７のＳ１４０〜Ｓ１４５）。ここで、出席者情報には、学生ＩＤ、顔画像データ、当該出席者情報の送信日時を示す時刻データ、および前記第二のビーコン信号に含まれる在席了承の情報を有する。尚、時刻データは、前記時計機能（カレンダー機能を含むもの）３０により取得される。
【００３７】
管理サーバ１１では、前記講師端末４での講師用アプリのログインと前記学生端末５での学生用アプリのログインとを確認すると、前記記憶装置に記憶された所定のプログラムを起動して出席確認処理（図９）を実行する。
【００３８】
この出席確認処理では、前記ログインに伴って、講師端末４と学生端末５と同期する処理を行う（図９のＳ３００〜Ｓ３０５）。この同期処理後に、前記学生端末５から送信された前記出席者情報を受信すると、顔画像データを照合する処理を行う（図９のＳ３１５）。この処理では、前記出席者情報に含まれる学生ＩＤに基づいて、データベース１２の学生情報記憶領域３１から該学生ＩＤに紐付けられた顔画像データを読み込む。そして、出席者情報に含まれる顔画像データとデータベース１２の顔画像データとを照合し、両者を一致判定すると、本人と認定する。
さらに、前記出席者情報に含まれる在席了承の情報と時刻データとに基づいて、講義開始時の在席を認定する処理を行う（図９のＳ３２５）。この処理では、在席了承の情報を確認すると共に、前記時刻データを、データベース１２の講義情報記憶領域３３に記憶された講義の時間割情報と照合することによって、当該出席者情報の送信時刻に当たるか否かを判定する。そして、前記在席了承の情報を正しく確認でき且つ時刻データの照合で肯定判定されると、講義開始時の在席を認定する。
【００３９】
このように本人認定と講義開始時の在席認定との両者が成立すると、当該学生（学生ＩＤに示された学生）の講義開始時における在席を確定する（図９のＳ３５０）。そして、
講義開始時の在席を示す情報を、前記データベース１２の出席情報記憶領域３４に記憶する（図９のＳ３５５）。ここで、講義開始時の在席を示す情報が、前記出席情報記憶領域３４に記憶される学生毎の出欠情報を構成する。
さらに、講義開始時の在席を確定すると、これを示す信号を学生端末５と講師端末４に送信する（図９のＳ３６０）。
【００４０】
前記した顔画像データの照合により不一致と判定された場合（Ｓ３２０で否定判定）、又は講義開始時の在席が認定されなかった場合（Ｓ３３０の否定判定）には、顔画像データを再度アップロードすることを要求する再送信号を、通信ネットワークを介して学生端末５へ送信する（図９のＳ３４０）。
学生端末５では、管理サーバ１１から前記再送信号を受信すると（図７のＳ１５０）、カメラ機能２８で顔画像データを再度撮影して、アップロードする（図７のＳ１４０〜Ｓ１４５）。
管理サーバ１１の出席確認処理では、再送された出席者情報を受信すると、当該出席者情報の顔画像データを照合する（図９のＳ３１５）。この照合で本人認定されると、前述したように、在席了承の情報と時刻データとに基づいて講義開始時の在席を認定し（図９のＳ３２５）、当該学生の講義開始時における在席が確定される（図９のＳ３５０）。こうした再送信号の送信は、顔画像データの照合で一致判定されるまで繰り返される。
【００４１】
学生端末５では、前記講義開始時の在席を確定する前記信号を受信すると（図７のＳ１５５）、該在席確定を示すメッセージを画面に表示する。これに伴って、学生が学生用アプリをログアウトする（図７のＳ１６０）。同様に、講師端末４では、講義開始時の在席を確定する前記信号を受信すると（図８のＳ２４５）、講師が講師用アプリをログアウトする（図８のＳ２５０）。
【００４２】
一方、講義の終了時にあっても、講義開始時と同様に、学生端末５では、学生の操作により前記学生用アプリでログインされると共に、講師端末４では、講師の操作により前記講師用アプリでログインされる。例えば、講義終了時にあっても、開始時と同様に、講師が講義終了（又は、在席確認の実行）の合図によって、学生用アプリと講師用アプリとで夫々ログインする。
【００４３】
学生端末５では、学生用アプリでログインされると、通信ネットワークを介して前記管理サーバ１１と同期する（図７のＳ１００〜Ｓ１０５）。そして、講義開始時に記憶された講義の識別情報を確認して（図７のＳ１１０）、当該講義の情報を表示する（図７のＳ１１５）。この講義情報の表示に対して、学生が肯定を示す操作を行うと、講義開始時と同様に、当該講義の識別情報と学生ＩＤとを含む第一のビーコン信号を発信する（Ｓ１２５）。さらに、学生端末５では、講師端末４から送信されるビーコン信号の受信を有効な状態となる。
【００４４】
講師端末４では、講師用アプリでログインされると、通信ネットワークを介して前記管理サーバ１１と同期する（図８のＳ２００〜Ｓ２０５）。そして、講義開始時に記憶された講義の識別情報を確認して（図８のＳ２１０）、当該講義の情報を表示する（図８のＳ２１５）。この講義情報の表示に対して、講師が肯定を示す操作を行うと、講義の識別情報を有効とすると共に、講義開始時に記憶された学生ＩＤを有効とする（図８のＳ２２５）。さらに、学生端末５から送信されるビーコン信号の受信を有効な状態とする。
前記学生端末５から発信された第一のビーコン信号を受信すると、講義開始時と同様に、当該ビーコン信号に含まれる講師の識別情報と学生ＩＤとを、講義開始時に記憶された講義の識別情報と学生ＩＤと夫々照合し、両者共に一致すると、講義在席と判定し、在席了承の情報を含む第二のビーコン信号を発信する（図８のＳ２３５〜Ｓ２４０）。
【００４５】
学生端末５では、前記講師端末４から発信された第二のビーコン信号を受信すると（図７のＳ１３０）、当該ビーコン信号に含まれる在席了承の情報を確認する。そして、この確認に伴って、顔画像データのアップロードを求める指示が、当該学生端末５の画面に表示される（図７のＳ１３５）。学生が顔画像データをアップロードすることにより、該顔画像データ、学生ＩＤ、時刻データ、および第二のビーコン信号に含まれた在席了承の情報を含む出席者情報が、通信ネットワークを介して管理サーバ１１に送信される（図７のＳ１４０〜Ｓ１４５）。
【００４６】
管理サーバ１１では、前記講師端末４と学生端末５とのログインに伴って出席確認処理が実行され、該講師端末４と学生端末５と同期される（図９のＳ３００〜Ｓ３０５）。そして、学生端末５から送信された前記出席者情報を受信すると、講義開始時と同様に、当該出席者情報に含まれる顔画像データを、データベース１２の学生情報記憶領域３１から読み込んだ顔画像データと照合し、一致判定すると、本人と認定する（図９のＳ３１０〜Ｓ３１５）。さらに、在席了承の情報と時刻データとに基づいて、講義終了時の在席を認定する（図９のＳ３２５）。このように本人認定と講義終了時の在席認定との両者が成立すると、当該学生（学生ＩＤに示された学生）の講義終了時における在席が確定される。そして、データベース１２の出席情報記憶領域３４に記憶された出欠情報を読み込み、前記講義開始時の在席情報を確認すると、講義開始から終了までの在席が認定されて、当該講義への出席が確定する（図９のＳ３５０）。この出席を示す情報が出席情報記憶領域３４に記憶され、該出席情報記憶領域３４の出欠情報が更新される（図９のＳ３５５）。
尚、管理サーバ１１は、講義開始時と同様に、講義終了時の在席を確定に伴って、該確定を示す信号を学生端末５と講師端末４とに送信する（図９のＳ３６０）。学生端末５と講師端末４では、この信号を受信すると、学生用アプリと講師用アプリとでログアウトされる（図７のＳ１６０、および図８のＳ２５０）。
【００４７】
また、講義終了時にあっても、講義開始時と同様に、顔画像データの照合で不一致判定されると、再送信号が送信され（図９のＳ３４０）、新たに送信された出席者情報に基づいて該顔画像データの照合が再度行われる。
【００４８】
一方、講義に学生が遅刻した場合には、入室した時に、講師端末４で講師用アプリにログインされ且つ、学生端末５で学生用アプリにログインされることによって、講義開始時と同様に、該学生端末５が前記第一のビーコン信号を発信し（図７のＳ１００〜Ｓ１２５）、講師端末４が、該第一のビーコン信号の受信に基づいて前記第二のビーコン信号を発信する（図８のＳ２００〜Ｓ２４０）。そして、学生端末５では、講師端末４から第二のビーコン信号を受信すると、学生端末５のカメラ機能２８で撮影した顔画像データを含む出席者情報を、通信ネットワークを介して管理サーバ１１に送信する（図７のＳ１３０〜Ｓ１４５）。管理サーバ１１の前記出席確認処理は、前記出席者情報を受信すると、当該出席者情報の顔画像データを、データベース１２の学生情報記憶領域３１から読み込んだ顔画像データと照合し、一致判定すると、本人と認定する（図９のＳ３００〜Ｓ３１５）。さらに、出席者情報に含まれる在席了承の情報と時刻データとを確認する（図９のＳ３２５）。ここで、当該時刻データが、データベース１２の講義情報記憶領域３３から読み込んだ前記遅刻判定の条件（講師開始から２０分以内であること）を充足するか否かを判定し、充足すると、遅刻と認定される。このように本人確認の認定と遅刻の認定とにより、遅刻が確定され、これを示す情報が、前記データベース１２の出席情報記憶領域３４に記憶される（図９のＳ３５０〜Ｓ３５５）。この後に、前述と同様に講義終了時の在席が確定すると、前記出席情報記憶領域３４に記憶された遅刻在席の情報を確認して、当該講義への遅刻出席が確定する。そして、この遅刻出席の情報が出席情報記憶領域３４に記憶され、該出席情報記憶領域３４の出欠情報が更新される。
【００４９】
また、学生が講義を早退する場合には、退室する時に、講師端末４で講師用アプリにログインされ且つ、学生端末５で学生用アプリにログインされることによって、前記遅刻時と同様に、講師端末４と学生端末５とで前記ビーコン信号が送受信され、該学生端末５から前記出席者情報が管理サーバ１１へ送信される。管理サーバ１１の前記出席確認処理は、前記出席者情報を受信すると、当該出席者情報の顔画像データを、データベース１２の学生情報記憶領域３１から読み込んだ顔画像データと照合し、一致判定すると、本人と認定する。さらに、出席者情報に含まれる在席了承の情報と時刻データとを確認し、当該時刻データが、データベース１２の講義情報記憶領域３３から読み込んだ前記早退判定の条件（講師終了前の２０分以内であること）を充足するか否かを判定し、充足すると、早退と認定される。このように本人確認の認定と早退の認定とにより、早退が確定される。この早退在席が確定されると、出席情報記憶領域３４に記憶された出欠情報の講義開始時の在席情報を確認して、当該講義への早退出席が確定する。そして、この早退出席の情報が出席情報記憶領域３４に記憶され、該出席情報記憶領域３４の出欠情報が更新される。
【００５０】
こうした講義への出席確認を、各講義を履修する学生毎に行うことによって、データベース１２の出席情報記憶領域３４には、各講義への学生の出席状況と各学生の講義への出席者情報とを示す前記出欠情報が記憶される。この出席情報記憶領域３４に記憶された前記出欠情報は、定期的に、前記担当者ＰＣ９を介して前記ＬＭＳ７および大学基幹システム８に送られて記憶される。ＬＭＳ７と大学基幹システム８とでは、データベース１２から送信された前記出欠情報に従って、各講義の出席者情報を示すデータと、各学生の講義毎の出席者情報を示すデータとが更新される。ここで、ＬＭＳ７には、学生の情報として、各講義への出席状況（出席数、遅刻数、早退数など）を示すデータが学生毎に記憶されると共に、講義の情報として、講義への出席状況（出席者数など）を示すデータが講義毎に記憶される。
【００５１】
そして、本実施例にあっては、学生が学生端末５で学生用アプリにログインすることによって、通信ネットワーク２を介して前記ＬＭＳ７から本人の講義出席状況を確認することができる。具体的には、学生用アプリにログインした学生端末５で、学生が所定操作することにより、講義出席状況を要求する信号が、通信ネットワーク２を介して前記ＬＭＳ７に送信される。ＬＭＳ７では、この信号を受信すると、当該信号に含まれる学生ＩＤに基づいて、当該学生の講義出席状況を示すデータを、前記学生端末５へ送信する。これにより、学生端末５で講義出席状況が画面に表示される。このように学生は、自分の講義出席情報を随時確認することができる。
【００５２】
同様に、講師が講師端末４で講師用アプリにログインすることによって、通信ネットワーク２を介して前記出欠管理装置３から講義出席状況を確認することができる。具体的には、講師用アプリにログインした講師端末４で、講師が所定操作することにより、講義出席状況を要求する信号が、通信ネットワーク２を介して前記出欠管理装置３に送信される。出欠管理装置３では、この信号を受信すると、当該信号に含まれる講師ＩＤに基づいて、当該講師の講義への出席状況を示すデータを、前記講師端末４へ送信する。これにより、講師端末４で講義出席状況が画面に表示される。
【００５３】
前述したように本実施例の出欠情報収集管理システム１にあっては、講師端末４と学生端末５との間でＢＬＥ技術によるビーコン信号の送受信できることによって、該学生端末５を所持する学生が、限られた通信領域（講義の教室内）に居ることを認証すると共に、学生端末５から送信される学生の顔画像データを、予め登録された顔画像データと照合することによって、学生本人であることを認証する。さらに、顔画像データをと共に学生端末５から送信される時刻データを、予め登録された時間割の情報と照合することによって、講義開始時の在席と講義終了時の在席とを認証する。かかる構成によれば、講義に出席する学生の本人確認と、学生の居る場所（教室内）の確認と、該場所に居る時間の確認とを正確に行うことでき、これら全てを充足することによって講義の出席を確認できる。特に、本実施例では、講義開始時と講義終了時との少なくとも二回で、前記学生の講義への出席を確認するようにしていることから、講義への出席確認を一層正確に行うことができる。このように本実施例の構成は、学生の講義への出席を正確かつ安定して実行できることから、前述した代返等の不正を抑制することができる。
【００５４】
尚ここで、前述した従来構成（特開２０１９−７４９８７号公報）は、学生の位置確認をＧＰＳ情報を用いて行う構成であるが、このＧＰＳ情報は、一般的に高さ方向の位置情報を取得できないという問題があった。具体的には、１５階建ての講義棟の場合に、１階から１５階までの高さ方向で重なる複数の教室を同位置のＧＰＳ情報として取得する。こうした従来構成に対して、本実施例の出欠情報収集管理システム１は、講師端末４と学生端末５との間でＢＬＥ技術によるビーコン信号を送受信することによって学生の居る位置を認証するものであることから、前記したＧＰＳ情報の問題を生じないという利点があり、前記従来構成に比して一層正確に学生の位置を確認できる。
【００５５】
さらに、本実施例の構成では、遅刻した場合と早退した場合とで同様の出席確認をして、遅刻判定または早退判定を行うによって、遅刻出席と早退出席とを確認することができる。これにより、遅刻出席および早退出席を、講義の開始から終了までの出席と区別して確認できることから、より正確な出席確認を行うことができる。
【００５６】
また、本実施例の構成では、学生が学生用アプリにログインして所定操作を行うことによって、自身の出席状況を比較的容易に確認できると共に、講師が講師用アプリにログインして所定操作を行うことによって、講義への学生の出席状況を比較的容易に確認できる。こうした出席状況を確認する機能は、学生端末５や講師端末４が通信ネットワークに接続できる状態であれば、時間と場所に関係無く行うことができるため、極めて高い利便性を有する。
【００５７】
本実施例の出欠情報収集管理システム１は、講師端末４にインストールされた講師用アプリによる制御処理と、学生端末５にインストールされた学生用アプリによる制御処理と、データベース１２に記憶された各データを用いた管理サーバ１１による制御処理とによって実行されるものであり、人の介在を講師端末４の操作および学生端末５の操作のみとできることから、前述した学生の講義への出席を確認するという一連の処理を効率的に行うことができる。
【００５８】
尚、前述した実施例の構成にあって、学生端末５が、本発明にかかる出席者端末に相当する。
通信ネットワーク２が、本発明にかかるネットワークに相当する。
学生端末５から発信される第一のビーコン信号と、講師端末４から発信される第二のビーコン信号とが、本発明にかかる無線標識信号の一例に相当する。
第一のビーコン信号が、本発明にかかる標識信号送信処理により送信される無線標識信号に相当し、該第一のビーコン信号に含まれる学生ＩＤが、本発明にかかる出席者を識別するための識別データに相当する。
第二のビーコン信号が、本発明にかかる許容信号送信処理により送信される無線標識信号に相当し、講師端末４から第二のビーコン信号を受信することが、本発明にかかる認証許容条件に相当する。
学生端末５のビーコン通信機能２７と学生用アプリのＳ１２５とにより、本発明にかかる出席者端末の無線標識通信手段が構成されている。
講師端末４のビーコン通信機能２２と講師用アプリのＳ２４０とにより、本発明にかかる講師端末の無線標識通信手段が構成されている。そして、このＳ２４０が、本発明にかかる許容信号送信処理に相当する。
学生端末５のカメラ機能２８が、本発明にかかる生体認証取得手段に相当する。そして、カメラ機能２８により撮影された顔画像データとデータベース１２の顔画像データとが、本発明にかかる生体認証データに相当する。
学生端末５の無線通信機能２６と学生用アプリのＳ１４５とにより、本発明にかかる出席情報送信制御手段が構成されている。
データベース１２の学生情報記憶領域３１が、本発明にかかる出席者データ記憶領域に相当し、該データベース１２の出席情報記憶領域３４が、本発明にかかる出欠データ記憶領域に相当する。
管理サーバ１１が、本発明にかかる出席承認制御手段に相当する。
講師端末４の入力手段２４が、本発明にかかる受信操作手段に相当する。
データベース１２の講義情報記憶領域３３に記憶された講義の時間割（開始時刻や終了時刻）の情報が、本発明にかかる講義時刻情報に相当する。
【００５９】
本発明にあっては、前述した実施例に限定されるものではなく、該実施例以外の構成についても本発明の趣旨の範囲内で適宜変更して実施可能である。
例えば、実施例では、講義の開始時と終了時との両方で学生の在席を認定した場合に、該学生の講義への出席を確定するようにした構成であるが、これに限らず、例えば、講義の開始時（又は講義の終了時）のみで学生の在席を確認するようにしても良い。
【００６０】
実施例では、学生端末５のカメラ機能２８により撮影された顔画像データを、データベース１２に予め記憶された顔画像データと照合することによって、本人確認を行うようにしたが、これに限らず、他の生体認証データを照合する構成とすることも可能である。例えば、顔画像データに代えて、学生の指紋による指紋データ、学生の音声による音声データ、学生の網膜による網膜データなどを適用することができる。さらには、これら生体認証データのなかの複数を用いた構成とすることもできる。そして、複数種類の生体認証データを用いた構成では、全ての生体認証データを照合して本人を認定するようにしても良いし、一部の生体認証データを選択的に照合して本人を認定するようにして良い。ここで、後者の場合には、複数のなかの一の生体認証データを照合した結果が不一致であると、他の生体認証データを照合するようにすることもできる。
尚、こうした他の生体認証データを用いる場合には、学生端末が、指紋を取得する機能、音声を録音する機能、網膜を撮影する機能を備えた構成とすることが必要である。
【００６１】
実施例では、学生端末５から管理サーバ１１へ送信する出席者情報が、該出席者情報の送信時刻を示す時刻データを含むものとしたが、これに限らず、顔画像データを取得（撮影）した時刻を示す時刻データを含むものであっても良い。
【００６２】
実施例では、前記出席者情報が時刻データを含むものとしたが、これに限らず、該出席者データが時刻データを含まないものである構成とすることもできる。この構成では、時刻データによる直接的な時間の照合ができないものの、出席者データに含まれる在席了承の情報（第二のビーコン信号に含まれた情報）によって、間接的に時間の照合ができることから、前述した実施例と同様の作用効果を奏し得る。
【００６３】
実施例は、講師端末４や学生端末５が出欠管理装置３から出席状況の情報を取得する構成としたが、これに限らず、該出席状況の情報（出欠情報）を前記ＬＭＳ７から取得するようにしても良い。この場合には、講師端末４と学生端末５とを、前記した大学内ローカルネットワーク１０と接続可能とし、ＬＭＳ７から前記出席状況の情報を取得できるようにすることが好適である。
【００６４】
実施例は、大学内ローカルネットワーク１０に接続されたＬＭＳ７と大学基幹システム８とを備えた構成について例示したが、これに限らず、該ＬＭＳ７を備えない構成であっても良い。かかる構成にあっては、実施例と同様に、大学基幹システム８と出欠管理装置３とで担当者ＰＣ９を介して情報をやり取りできることから、前述した実施例と同様の作用効果を奏する。
【００６５】
実施例は、講義の開始時に講師からの講義開始の合図によって、学生端末５から第一のビーコン信号が発信され、該第一のビーコン信号の受信に伴って講師端末４から第二のビーコン信号が発信され、該第二のビーコン信号の受信によって出席者情報を管理サーバ１１に送信するようにした構成である。このように実施例は、前記講義開始の合図によって、学生端末５と講師端末４とが互いに一回づつビーコン信号の送受信を実行することで、出席者情報の送信（顔画像データのアップロード）が許容される構成であるが、これに限らず、学生端末５と講師端末４との間における前記ビーコン信号の送受信回数は適宜変更して設定することが可能である。
例えば、図１０に示すように、講義開始時に、講師端末４から講義開始のビーコン信号を発信し、このビーコン信号を受信した学生端末５から前記第一のビーコン信号を発信し、この第二のビーコン信号を受信した講師端末４から前記第二のビーコン信号を発信するようにしても良い。そして、学生端末５では、実施例と同様に、第二のビーコン信号を受信することによって、顔画像データのアップロートが有効となるようにする。かかる別例の構成は、実施例における講義開始の合図に代えて、講師端末４から前記講義開始のビーコン信号を発信するようにした構成であり、この講義開始のビーコン信号以外は実施例と同様である。そのため、この別例の構成にあっても、実施例と同様の作用効果を奏し得る。尚、この別例の構成では、講義終了時にも、講師端末４から講義終了のビーコン信号を発信し、このビーコン信号を合図として、開始時と同様に講義終了時の在席確認を行うようにすることもできる。
【００６６】
実施例は、学生端末５が、講師端末４から発信された第二のビーコン信号を受信すると、顔画像データを含む出席者情報を管理サーバ１１へ送信するようにした構成であるが、これに限らず、例えば、学生端末５が、管理サーバ１１から出席者情報の送信を要求する信号を受信すると、該出席者情報を送信する構成とすることもできる。この構成では、学生端末５から発信された第一のビーコン信号を講師端末４が受信すると、該講師端末４が、この受信したビーコン信号の学生ＩＤを含む出席承認情報を、管理サーバ１１へ通信ネットワークを介して送信する。そして、管理サーバ１１では、講師端末４から前記出席承認情報を受信すると、データベース１２から学生の識別情報、講師の識別情報、講義の識別情報などを確認して、学生の講義への出席を了承し、顔画像データの送信を要求する信号を学生端末５へ送信する。この信号の送信に基づいて、学生端末５から出席者情報が送信されると、管理サーバ１１では、前述した実施例と同様に、本人の認定を行って、講義の出席（講義開始時または講義終了時の在席、遅刻在席、早退在席）を確定する。かかる構成にあっても、学生端末５から送信された第一のビーコン信号を講師端末４が受信できることによって、学生の在席する位置と時間とを保証できることから、実施例と同様の作用効果を奏し得る。
【００６７】
実施例は、大学における学生の講義への出席を確認するためのものとして例示したが、これに限らず、他の用途にも適用可能である。例えば、所定の団体が開催する講習会やセミナーでも適用することができる。
【符号の説明】
【００６８】
１  出欠情報収集管理システム
２  通信ネットワーク（ネットワーク）
３  出欠管理装置
４  講師端末
５  学生端末（出席者端末）
１１  管理サーバ
１２  データベース
２４  入力手段（受信操作手段）
２８  カメラ機能（生体認証取得手段）
３０  時計機能
３１  学生情報記憶領域（出席者データ記憶領域）
３４  出席情報記憶領域（出欠データ記憶領域）
【図１】
2022003472.tif 000003
【図２】
2022003472.tif 000004
【図３】
2022003472.tif 000005
【図４】
2022003472.tif 000006
【図５】
2022003472.tif 000007
【図６】
2022003472.tif 000008
【図７】
2022003472.tif 000009
【図８】
2022003472.tif 000010
【図９】
2022003472.tif 000011
【図１０】
2022003472.tif 000012